(57)【要約】【課題】従来のブックエンドは、載置側の底板が長く、本棚や書棚の端に、小数の本やファイルのずれや、倒れを防止するのに不具合があった。【解決手段】ブックエンドの側板と平行な、高さ方向に伸縮可能な棒、又はリンクを、ネジ、スプリング、ゴム紐を介し載置面と天井板の間に固定し、載置側の底板を無くす、又は反対側の底板を狭くしても、本の倒れや移動を防止出来る構成とした。【選択図】図１
2007014719.tif 000002
【特許請求の範囲】
【請求項１】
載置面１０２に垂直な側板２、２２を有するブックエンドを備えて、該側板と平行な高さ方向に、伸縮可能な棒３、２３を設け、この棒をネジ２４又は、スプリング７、２８、ゴム等の弾性体を介し、側板を載置面と天井板１０３の間に固定し、本の倒れや移動を防止する構成とした事を、特徴とするブックエンド。
【請求項２】
載置面１０２に垂直な側板４２を有するブックエンドを備えて、該側板と平行な高さ方向に、伸縮可能な平行四辺形のリンクＬ１、Ｌ２、Ｌ３、Ｌ４を設け、このリンクをネジ又は、スプリング、ゴム４７等の弾性体を介し、側板を載置面と天井板１０３の間に固定し、本の移動や倒れを防止する構成とした事を、特徴とするブックエンド。
【発明の詳細な説明】
【技術分野】
【０００１】  本発明はブックエンドの改良に関するものである。
【背景技術】
【０００２】  従来のブックエンドは、ブックエンドのずれを防止するため、図７に示す載置面側に底板５３を設けて、長くしたり、底板の裏に滑り止めを設けたものがある。又、図８に示すブックエンド６１のように、底板６３に凹凸部を設け、互いの凹凸部を、嵌め合わせる構造としたものがある。（例えば特許文献１参照。）
【特許文献１】特開平３−２１４７９６公報
【発明の開示】
【発明が解決しようとする課題】
【０００３】  以上述べた従来のブックエンドは、ブックエンドのずれを防止するため、底板部を長くしたり、ずれ防止を確実にするため、底板に凹凸をつけて噛み合わせる構造としているため、本箱や書棚の端に、少ない本やファイルを保管する際に、用をなさない事がある。【０００４】  本発明は前記問題を解決するため、本棚や書棚の端に一冊の本から対応出来ると共に、ブックエンド片側だけでも本の倒れ防止を確実に行う、ブックエンドを提供する事である。
【課題を解決するための手段】
【０００５】  前記課題を解決するため、本発明の第１の解決手段は、載置面に垂直な側板を有するブックエンドを備えて、該側板と平行な高さ方向に、伸縮可能な棒を設け、この棒をネジ又は、スプリング、ゴム等の弾性体を介し、側板を載置面と天井板の間に固定し、本の倒れや移動を防止する構成とした。【０００６】  又、第２の手段は、載置面に垂直な側板を有するブックエンドを備えて、該側板と平行な高さ方向に、伸縮可能な平行四辺形のリンクを設け、このリンクをネジ又は、スプリング、ゴム等の弾性体を介し、側板を載置面と天井板の間に固定し、本の移動や倒れを防止する構成とした。【０００７】  以上の手段を行う事で、側板の載置側の底板を短くする、又は無くす事が出来る。
【発明の効果】
【０００８】  前記したように本発明のブックエンドは本棚や書棚の端に、少ない本やファイルを保管する際のブックエンドに、使用することが出来る。【０００９】  又、載置面と天井板の間で、ブックエンドを固定する構成のため、棚の一方の壁と合わせて、片側だけのブックエンドでも本の倒れや移動を防止することが出来る。ブックエンドを向かい合わせて、本棚や書棚の端でなくても使える。
【発明を実施するための最良の形態】
【実施例１】
【００１０】  以下、本発明の実施の形態の第１例を、図１、図２に基づいて説明する。図中１は、本発明になるブックエンドの斜視全体図である。仮想線図１０１は、本発明のブックエンドを使用する書棚である。１０２は書棚の載置面で、１０３は天井板である。【００１１】  本発明のブックエンド１は、載置面１０２に垂直に備えた側板２と平行に、後述する側板を載置面と天井板１０３の間に固定する、棒３の伸縮機構１１を設けてある。伸縮機構は、載置面に平行な下面を持つ台５に垂直に立て、側板の高さ方向に、棒が伸縮可能な構成にした。【００１２】  図２は、Ａ−Ａ矢視断面図で、１１は棒３の伸縮機構を示す。次に、摘まみ６を回転する事により、棒３を上昇、下降する構成について説明する。７はコイルスプリングで筒１０の中に収め、最下端のコイルエンド９を、台５の下面の下に設けた溝４に固定している。棒３はコイルスプリングの中に、上下動出来る間隔を保って、差し込んである。棒３の最下端近くに、コイルスプリングのピッチ間に滑合し、スプリングの弾力に耐える剛性を持つ、ピン８が植え込んである。上部の摘まみを回転すると棒のピン８とコイルスプリングが、恰も雄ネジと雌ネジの関係と同様に、一回転につきスプリングのピッチ分、上昇又は下降する。【００１３】  このように構成した伸縮機構の摘まみ６を上昇方向に回転させ、摘まみが書棚の天井板１０３に届いても、尚上昇方向に回転させ、スプリンクが撓みスプリンクの反力により、ブックエンドを書棚に固定し、本やファイルの倒れや移動を防止する。
【実施例２】
【００１４】  以下、本発明の第２の実施の形態を図３、図４に基づいて説明する。図中２１は本発明になる、ブックエンドの斜視全体図である。仮想線図は実施例１の書棚１０１と同じであって、１０２は書棚の載置面で、１０３は天井板である。【００１５】  本発明のブックエンド２１は、載置面１０２と垂直に備えた側板２２と平行に、後述する側板を載置面と天井板の間に固定するための、ネジ棒２３の伸縮機構２０を設けてある。伸縮機構の本体２５を載置面に垂直に立て、ネジ棒が側板の高さ方向に伸縮可能な関係に構成してある。【００１６】  図４は、Ｂ−Ｂ矢視断面図で、２０はネジ棒の伸縮機構を示す。次に摘まみ２６を回転する事により、ネジ棒２３を上昇、又は下降する構成について説明する。２３はネジを加工した棒で、本体２５の中に設けた円筒形ナット２４と対偶している。ナットの下側はコイルスプリング２８で上方に押し上げられ、ナットの上面はネジキャップ２７により止めてある。又、ナットの外形には上下方向にキー溝２９が形成してあり、回り止めピン３０と滑合し、ナットが上下方向に移動出来る構成である。３１は棒が上下するための逃穴である。【００１７】  このように構成した、伸縮機構の摘まみ２６を上昇方向に回転させ、摘まみが天井板１０３に届いても、なお上昇方向に回転させると、ナットが下方に下がり、スプリングが押し下げられ撓む。そのスプリングの撓んだ反力により、ブックエンドを書棚に固定し、本やファイルの、倒れや移動を防止する。
【実施例３】
【００１８】  以下、本発明の第３の実施の形態を図５、図６に基づいて説明する。図中４１は本発明になる、ブックエンドの斜視全体図である。仮想線図は実施例１の書棚１０１と同じであって、１０２は書棚の載置面で、１０３は天井板である。【００１９】  本発明のブックエンドは載置面と垂直に備えた側板４２と平行に、後述する側板を載置面と天井板１０２の間に固定するための、高さ方向に伸縮する、平行四辺形のリンクＬ１、Ｌ２、Ｌ３、Ｌ４を設けてある。【００２０】  次に、垂直方向に伸縮し、ブックエンドを書棚１０１の載置面１０２と天井板１０３の間に固定するリンク機構について説明する。平行四辺形をなす下側の一方は、側板４２の上部ピンＰ１で、スイング可能に結合してある。下側の他の一方はピンＰ１と、同じ高さの位置に設けた長溝４４に、リンクの端に固定したピンＰ２と滑合し、水平方向に移動可能な構造としてある。【００２１】  平行四辺形をなすリンクの上部の一方は、クランプ駒４５の端に固定したピンＰ３により、スイング可能に結合、他のリンクの上端は、クランプ駒４５の端に設けた長溝４６に、リンクに固定したピンＰ４と滑合、水平方向に移動可能な構造としてある。平行四辺形をなす、上下のリンクを連結する２カ所は、互いの距離Ｗを引き寄せるゴム紐４７を固定するピンＰ５に、スイング可能に連結してある。【００２２】  図６Ｃ−Ｃ矢視断面図で４０はゴムの固定機構を示す。ゴム紐４７の固定は、ピンＰ５にゴムを通す穴４９を設けて、ゴム紐を通し、ゴム紐を固定する摘まみ付きネジ４８を締めて、固定する構造としてある。【００２３】  以上の構成によるブックエンドの作用について説明する。書棚１０１の載置面に備えたブックエンドのゴム紐４７を抑えている、片方の摘まみ付きネジ４８を緩めゴム紐を延ばし、その反力で向かい合うピンを引き寄せ、幅Ｗを短縮する事で、クランプ駒４５を上昇し、天井板まで上げる。尚、ゴム紐を引くことで、クランプ駒に圧力を加え、載置面と天井に固定する、十分な力が働いた時点で、先に緩めた摘まみ付きネジを締めて固定することにより、ブックエンドの固定を維持する。
【図面の簡単な説明】
【００２４】
【図１】  本発明の第１の実施形態を示す、ブックエンドの斜視全体図。
【図２】  棒の伸縮機構を示す、Ａ−Ａ矢視断面図。
【図３】  本発明の第２の実施形態を示す、ブックエンドの斜視全体図。
【図４】  ネジ棒の伸縮機構を示す、Ｂ−Ｂ矢視断面図。
【図５】  本発明の第３の実施形態を示す、ブックエンドの斜視全体図。
【図６】  ゴム紐の固定方法を示す、Ｃ−Ｃ矢視断面図。
【図７】  ブックエンドの斜視全体図。
【図８】  ブックエンドの斜視全体図。
【符号の説明】
【００２５】１、２１、４１、５１、６１  ブックエンド
２、２２、４２  側板
３、２３  棒
４  溝
５  台
６、２６  摘まみ
７、２８  コイルスプリング
８、３０  ピン
９  スプリングのコイルエンド
１０  外筒
１１、２０  棒の伸縮機構
２４  円筒形ナット
２５  本体
２７  ネジキャップ
２９  キー溝
３１  逃げ穴
４０  ゴム紐の固定機構
４４、４６  長溝
４５  クランプ駒
４７  ゴム紐
４８  摘まみ付きネジ
４９  穴
５３、６３  底板
Ｐ１、Ｐ２、Ｐ３、Ｐ４、Ｐ５  連結ピン
Ｌ１、Ｌ２、Ｌ３、Ｌ４  リンク
１０１  書棚
１０２  載置面
１０３  天井板
【図１】
2007014719.tif 000003
【図２】
2007014719.tif 000004
【図３】
2007014719.tif 000005
【図４】
2007014719.tif 000006
【図５】
2007014719.tif 000007
【図６】
2007014719.tif 000008
【図７】
2007014719.tif 000009
【図８】
2007014719.tif 000010